(57)【特許請求の範囲】
【請求項１】
正面視で、掲示板を含み、前記掲示板の上側には移動ブロックが設置され、前記移動ブロックの中には前記移動ブロックの前記掲示板の上側でのスライドを制御できる駆動機構が設置され、前記移動ブロックの中にはまた下方に開口した昇降チャンバが設置され、前記昇降チャンバの中には前記掲示板の右端面の古い広告を除去する除去機構が設置され、前記昇降チャンバの中には広告を貼ることができる平行移動機構が設置され、前記平行移動機構は固定ブロックを含み、前記固定ブロックの中には左端壁が前記昇降チャンバに連通している下方に開口した上げチャンバが設置され、前記上げチャンバの中には上げブロックと、前記上げブロックと前記上げチャンバの上端壁とを連結する二つの上げばねが設置され、前記上げブロックの中には下端壁が前記上げチャンバに連通している左方に開口したスライドチャンバが設置され、前記スライドチャンバの中には右端が前記スライドチャンバの右端壁と前記固定ブロックの右端とを貫通し、また昇降チャンバの中に位置しているスライドロッドが設置され、前記スライドロッドの中には上方に開口したスライド溝が設置され、前記スライド溝の中には上端が前記スライドチャンバの上端壁とスライドできるように連結されるスライドブロックが設置され、前記スライドロッドの下端には下端が前記上げチャンバの中に位置している平行移動ブロックが固定され、前記平行移動ブロックの中には左方に開口した押しチャンバが設置され、前記押しチャンバの後端壁には後端壁が前記平行移動ブロックと、前記上げブロック及び前記移動ブロックを貫通し、かつ外部空間に連通している入れ口が設置され、前記平行移動ブロックの中には前記押しチャンバの右端壁により貫通された上げ溝が設置され、前記上げ溝の中には上げロッドが設置され、前記上げロッドの上端には上端が前記スライド溝の左端壁を貫通し、且つ前記スライドブロックに連結されるロープが固定され、前記押しチャンバの右端壁には左方に開口した押し溝が設置され、前記押し溝の中には押し板と前記押し板を復帰させることができる二つの押しばねとが設置され、前記上げチャンバの右端壁には駆動モーターが固定され、前記駆動モーターの左端には左端が前記押し溝の右端壁を貫通し、且つ前記押し板と接触している駆動軸が伝動できるように連結され、前記駆動軸には左端が前記押し板と連結された駆動ブロックがねじ山により連結され、前記除去機構により前記掲示板にある古い広告を除去し、また前記平行移動機構により新しい広告を貼り、広告貼りの自動化の実現し、手で貼る必要がなく、前記昇降チャンバの中にはまた昇降を制限できる摩擦機構が設置されていることを特徴とする掲示板広告貼り除去複合機。
【請求項２】
前記駆動機構は伝動チャンバを含み、前記伝動チャンバの左端壁にはモーターが固定され、前記モーターの右端には伝動軸が伝動できるように連結され、前記伝動軸には伝動歯車がスプラインにより連結され、前記伝動チャンバの右端壁には前記伝動歯車と退け合う又は引き合うことができる電磁石が固定され、前記伝動チャンバの下端壁の中には下方に開口した従動チャンバと巻きチャンバとが設置され、前記従動チャンバの左右端壁の間には従動軸が回転できるように連結され、前記掲示板の上端の中には上方に開口した従動溝が設置され、前記従動溝の下端壁にはラックが固定され、前記従動軸には下端が前記ラックと噛合しており、且つ上端が前記伝動歯車と噛合している従動歯車が固定され、前記巻きチャンバの左右端壁の間には巻き軸が回転できるように連結され、前記巻き軸には上端が前記伝動チャンバの中に位置している巻き歯車が固定され、前記巻き軸には鎖が固定されていることを特徴とする請求項１に記載の掲示板広告貼り除去複合機。
【請求項３】
前記除去機構は昇降板と前記昇降チャンバの上端壁に連結された昇降ばねとを含み、前記昇降板の中には下端壁が前記昇降チャンバに連通している上方に開口した支持溝が設置され、前記支持溝の中には支持板が設置され、前記支持板の上端には上端が前記昇降チャンバの上端と連結された支持ばねが固定され、前記昇降チャンバの上下端壁の間には前記昇降板と前記支持板とを貫通しているガイドスライドロッドが固定され、前記鎖の下端が前記昇降チャンバの左端壁の下側を貫通し、且つ前記支持板に連結され、前記支持板の下端面には下端が前記昇降チャンバの中に位置している支持ブロックが固定され、前記支持ブロックの左端面には下方に傾く刮げナイフが固定され、前記固定ブロックの上端が前記昇降板の下端面に固定されていることを特徴とする請求項２に記載の掲示板広告貼り除去複合機。
【請求項４】
前記平行移動機構はまた二つの通風パイプを含み、二つの前記通風パイプが上げチャンバと前記押しチャンバとに連通しており、前記通風パイプの片側端壁の中には前記上げチャンバと前記通風パイプとに連通している連通パイプが設置され、前記通風パイプの中には小型の排気扇風機が設置され、前記押しチャンバの上下端壁にはいずれも広告が左に運動することを制限する位置制限ブロックが固定され、前記上げロッドの右端面にはブラシが固定されていることを特徴とする請求項１又は請求項３に記載の掲示板広告貼り除去複合機。
【請求項５】
前記摩擦機構は摩擦チャンバを含み、前記摩擦チャンバの中には左端が前記昇降板と接触している摩擦板が設置され、前記摩擦チャンバの右端壁には左端が前記摩擦板に連結された伸縮ばねが二つ固定され、前記スライドロッドの右端には右方に開口した回転チャンバが設置され、前記回転チャンバの前後端壁の間には回転軸が回転できるように連結され、前記回転軸には右端が前記摩擦板と接触している回転輪が固定されていることを特徴とする請求項３に記載の掲示板広告貼り除去複合機。
【請求項６】
二つの前記押しばねの弾力の和が前記スライドブロックと前記スライドチャンバとの間の摩擦力より大きく、前記スライドブロックと前記スライドチャンバとの間の摩擦力が前記上げロッドの重力と、前記スライドブロックと前記スライド溝との間の摩擦力の和より大きいことを特徴とする請求項１に記載の掲示板広告貼り除去複合機。
【請求項７】
前記昇降ばねの弾力が前記平行移動機構の重力より大きく、前記昇降ばねの弾力が前記平行移動機構の重力と、前記昇降板と前記摩擦板との間の摩擦力の和より小さいことを特徴とする請求項５に記載の掲示板広告貼り除去複合機。
【請求項８】
前記支持ばねの弾力が前記支持ブロックの重力と前記刮げナイフの重力の和より大きいことを特徴とする請求項３に記載の掲示板広告貼り除去複合機。
【発明の詳細な説明】
【技術分野】
【０００１】
本発明は広告貼り分野分野を取り上げて、具体的には掲示板広告貼り除去複合機である。
【背景技術】
【０００２】
団地や政府内では、情報を公開するとき、通常紙の文書を掲示板に貼り、人々が読むことに便利を与え、一部分の広告が団地の掲示板に掲載されることもある。現在、掲示板にものを貼ることは、手で貼る必要があり、作業量が増加し、また、広告や文書を貼った後、裏面の古い広告や文書を除去しないため、新しい広告や文書を読むとき、ぼやけたりゴースト化されたりして読みにくくなる。
【先行技術文献】
【特許文献】
【０００３】
【特許文献１】中国特許出願公開第１０７７６７７９２号明細書
【発明の概要】
【発明が解決しようとする課題】
【０００４】
本発明が解決しようとする問題は掲示板広告貼り除去複合機を提供することであり、手動で広告を貼る作業量が大きいことや、古い広告からの影響を克服し、作業量と古い広告からの影響を減少する。
【課題を解決するための手段】
【０００５】
本発明は以下の技術プランを通じて実現する：
【０００６】
本発明の掲示板広告貼り除去複合機は、掲示板を含み、前記掲示板の上側には移動ブロックが設置され、前記移動ブロックの中には前記移動ブロックの前記掲示板の上側でのスライドを制御できる駆動機構が設置され、前記移動ブロックの中にはまた下方に開口した昇降チャンバが設置され、前記昇降チャンバの中には前記掲示板の右端面の古い広告を除去する除去機構が設置され、前記昇降チャンバの中には広告を貼ることができる平行移動機構が設置され、前記平行移動機構は固定ブロックを含み、前記固定ブロックの中には左端壁が前記昇降チャンバに連通している下方に開口した上げチャンバが設置され、前記上げチャンバの中には上げブロックと、前記上げブロックと前記上げチャンバの上端壁とを連結する二つの上げばねが設置され、前記上げブロックの中には下端壁が前記上げチャンバに連通している左方に開口したスライドチャンバが設置され、前記スライドチャンバの中には右端が前記スライドチャンバの右端壁と前記固定ブロックの右端とを貫通し、また昇降チャンバの中に位置しているスライドロッドが設置され、前記スライドロッドの中には上方に開口したスライド溝が設置され、前記スライド溝の中には上端が前記スライドチャンバの上端壁とスライドできるように連結されるスライドブロックが設置され、前記スライドロッドの下端には下端が前記上げチャンバの中に位置している平行移動ブロックが固定され、前記平行移動ブロックの中には左方に開口した押しチャンバが設置され、前記押しチャンバの後端壁には後端壁が前記平行移動ブロックと、前記上げブロック及び前記移動ブロックを貫通し、かつ外部空間に連通している入れ口が設置され、前記平行移動ブロックの中には前記押しチャンバの右端壁により貫通された上げ溝が設置され、前記上げ溝の中には上げロッドが設置され、前記上げロッドの上端には上端が前記スライド溝の左端壁を貫通し、且つ前記スライドブロックに連結されるロープが固定され、前記押しチャンバの右端壁には左方に開口した押し溝が設置され、前記押し溝の中には押し板と前記押し板を復帰させることができる二つの押しばねとが設置され、前記上げチャンバの右端壁には駆動モーターが固定され、前記駆動モーターの左端には左端が前記押し溝の右端壁を貫通し、且つ前記押し板と接触している駆動軸が伝動できるように連結され、前記駆動軸には左端が前記押し板と連結された駆動ブロックがねじ山により連結され、前記除去機構により前記掲示板にある古い広告を除去し、また前記平行移動機構により新しい広告を貼り、広告貼りの自動化の実現し、手で貼る必要がなく、前記昇降チャンバの中にはまた昇降を制限できる摩擦機構が設置されている。
【０００７】
更に、前記駆動機構は伝動チャンバを含み、前記伝動チャンバの左端壁にはモーターが固定され、前記モーターの右端には伝動軸が伝動できるように連結され、前記伝動軸には伝動歯車がスプラインにより連結され、前記伝動チャンバの右端壁には前記伝動歯車と退け合う又は引き合うことができる電磁石が固定され、前記伝動チャンバの下端壁の中には下方に開口した従動チャンバと巻きチャンバとが設置され、前記従動チャンバの左右端壁の間には従動軸が回転できるように連結され、前記掲示板の上端の中には上方に開口した従動溝が設置され、前記従動溝の下端壁にはラックが固定され、前記従動軸には下端が前記ラックと噛合しており、且つ上端が前記伝動歯車と噛合している従動歯車が固定され、前記巻きチャンバの左右端壁の間には巻き軸が回転できるように連結され、前記巻き軸には上端が前記伝動チャンバの中に位置している巻き歯車が固定され、前記巻き軸には鎖が固定されている。
【０００８】
更に、前記除去機構は昇降板と前記昇降チャンバの上端壁に連結された昇降ばねとを含み、前記昇降板の中には下端壁が前記昇降チャンバに連通している上方に開口した支持溝が設置され、前記支持溝の中には支持板が設置され、前記支持板の上端には上端が前記昇降チャンバの上端と連結された支持ばねが固定され、前記昇降チャンバの上下端壁の間には前記昇降板と前記支持板とを貫通しているガイドスライドロッドが固定され、前記鎖の下端が前記昇降チャンバの左端壁の下側を貫通し、且つ前記支持板に連結され、前記支持板の下端面には下端が前記昇降チャンバの中に位置している支持ブロックが固定され、前記支持ブロックの左端面には下方に傾く刮げナイフが固定され、前記固定ブロックの上端が前記昇降板の下端面に固定されている。
【０００９】
更に、前記平行移動機構はまた二つの通風パイプを含み、二つの前記通風パイプが上げチャンバと前記押しチャンバとに連通しており、前記通風パイプの片側端壁の中には前記上げチャンバと前記通風パイプとに連通している連通パイプが設置され、前記通風パイプの中には小型の排気扇風機が設置され、前記押しチャンバの上下端壁にはいずれも広告が左に運動することを制限する位置制限ブロックが固定され、前記上げロッドの右端面にはブラシが固定されている。
【００１０】
更に、前記摩擦機構は摩擦チャンバを含み、前記摩擦チャンバの中には左端が前記昇降板と接触している摩擦板が設置され、前記摩擦チャンバの右端壁には左端が前記摩擦板に連結された伸縮ばねが二つ固定され、前記スライドロッドの右端には右方に開口した回転チャンバが設置され、前記回転チャンバの前後端壁の間には回転軸が回転できるように連結され、前記回転軸には右端が前記摩擦板と接触している回転輪が固定されている。
【００１１】
更に、二つの前記押しばねの弾力の和が前記スライドブロックと前記スライドチャンバとの間の摩擦力より大きく、前記スライドブロックと前記スライドチャンバとの間の摩擦力が前記上げロッドの重力と、前記スライドブロックと前記スライド溝との間の摩擦力の和より大きい。
【００１２】
更に、前記昇降ばねの弾力が前記平行移動機構の重力より大きく、前記昇降ばねの弾力が前記平行移動機構の重力と、前記昇降板と前記摩擦板との間の摩擦力の和より小さい。
【００１３】
更に、前記支持ばねの弾力が前記支持ブロックの重力と前記刮げナイフの重力の和より大きい。
【発明の効果】
【００１４】
本発明の有益な効果は：本発明装置は構造が簡単であり、操作が便利であり、本発明装置が作動するとき、自動的に掲示板にある古い広告の除去を完成し、新しい広告を貼った後、古い広告からの影響を避け、自動的に広告の貼りを完成し、手で貼る必要がなく、労働力を節約し、また、高いところに広告を貼ることが便利になり、広告をより見やすくする。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明実施例の構造概略図
【図２】図２は本発明実施例の移動ブロックの全断面の正面拡大構造概略図
【図３】図３は本発明実施例の上げ溝の全断面の左面拡大構造概略図
【図４】図４は本発明実施例の回転チャンバの全断面の正面拡大構造概略図
【発明を実施するための形態】
【００１７】
図１〜４を参照し、本発明の掲示板広告貼り除去複合機は、掲示板１０を含み、前記掲示板１０の上側には移動ブロック３７が設置され、前記移動ブロック３７の中には前記移動ブロック３７の前記掲示板１０の上側でのスライドを制御できる駆動機構６１が設置され、前記移動ブロック３７の中にはまた下方に開口した昇降チャンバ３４が設置され、前記昇降チャンバ３４の中には前記掲示板１０の右端面の古い広告を除去する除去機構６０が設置され、前記昇降チャンバ３４の中には広告を貼ることができる平行移動機構６２が設置され、前記平行移動機構６２は固定ブロック３０を含み、前記固定ブロック３０の中には左端壁が前記昇降チャンバ３４に連通している下方に開口した上げチャンバ３２が設置され、前記上げチャンバ３２の中には上げブロック２６と、前記上げブロック２６と前記上げチャンバ３２の上端壁とを連結する二つの上げばね２４が設置され、前記上げブロック２６の中には下端壁が前記上げチャンバ３２に連通している左方に開口したスライドチャンバ２２が設置され、前記スライドチャンバ２２の中には右端が前記スライドチャンバ２２の右端壁と前記固定ブロック３０の右端とを貫通し、また昇降チャンバ３４の中に位置しているスライドロッド４７が設置され、前記スライドロッド４７の中には上方に開口したスライド溝４６が設置され、前記スライド溝４６の中には上端が前記スライドチャンバ２２の上端壁とスライドできるように連結されるスライドブロック４３が設置され、前記スライドロッド４７の下端には下端が前記上げチャンバ３２の中に位置している平行移動ブロック５９が固定され、前記平行移動ブロック５９の中には左方に開口した押しチャンバ５４が設置され、前記押しチャンバ５４の後端壁には後端壁が前記平行移動ブロック５９と、前記上げブロック２６及び前記移動ブロック３７を貫通し、かつ外部空間に連通している入れ口６８が設置され、前記平行移動ブロック５９の中には前記押しチャンバ５４の右端壁により貫通された上げ溝５５が設置され、前記上げ溝５５の中には上げロッド５３が設置され、前記上げロッド５３の上端には上端が前記スライド溝４６の左端壁を貫通し、且つ前記スライドブロック４３に連結されるロープ４２が固定され、前記押しチャンバ５４の右端壁には左方に開口した押し溝５７が設置され、前記押し溝５７の中には押し板５６と前記押し板５６を復帰させることができる二つの押しばね５８とが設置され、前記上げチャンバ３２の右端壁には駆動モーター２９が固定され、前記駆動モーター２９の左端には左端が前記押し溝５７の右端壁を貫通し、且つ前記押し板５６と接触している駆動軸５０が伝動できるように連結され、前記駆動軸５０には左端が前記押し板５６と連結された駆動ブロック４９がねじ山により連結され、前記除去機構６０により前記掲示板１０にある古い広告を除去し、また前記平行移動機構６２により新しい広告を貼り、広告貼りの自動化の実現し、手で貼る必要がなく、前記昇降チャンバ３４の中にはまた昇降を制限できる摩擦機構６３が設置されている。
【００１８】
有益的には、前記駆動機構６１は伝動チャンバ１６を含み、前記伝動チャンバ１６の左端壁にはモーター１７が固定され、前記モーター１７の右端には伝動軸１８が伝動できるように連結され、前記伝動軸１８には伝動歯車１９がスプラインにより連結され、前記伝動チャンバ１６の右端壁には前記伝動歯車１９と退け合う又は引き合うことができる電磁石２０が固定され、前記伝動チャンバ１６の下端壁の中には下方に開口した従動チャンバ１５と巻きチャンバ３９とが設置され、前記従動チャンバ１５の左右端壁の間には従動軸１３が回転できるように連結され、前記掲示板１０の上端の中には上方に開口した従動溝１２が設置され、前記従動溝１２の下端壁にはラック１１が固定され、前記従動軸１３には下端が前記ラック１１と噛合しており、且つ上端が前記伝動歯車１９と噛合している従動歯車１４が固定され、前記巻きチャンバ３９の左右端壁の間には巻き軸３８が回転できるように連結され、前記巻き軸３８には上端が前記伝動チャンバ１６の中に位置している巻き歯車３６が固定され、前記巻き軸３８には鎖６９が固定されている。
【００１９】
有益的には、前記除去機構６０は昇降板２５と前記昇降チャンバ３４の上端壁に連結された昇降ばね２３とを含み、前記昇降板２５の中には下端壁が前記昇降チャンバ３４に連通している上方に開口した支持溝４１が設置され、前記支持溝４１の中には支持板４０が設置され、前記支持板４０の上端には上端が前記昇降チャンバ３４の上端と連結された支持ばね２１が固定され、前記昇降チャンバ３４の上下端壁の間には前記昇降板２５と前記支持板４０とを貫通しているガイドスライドロッド７０が固定され、前記鎖６９の下端が前記昇降チャンバ３４の左端壁の下側を貫通し、且つ前記支持板４０に連結され、前記支持板４０の下端面には下端が前記昇降チャンバ３４の中に位置している支持ブロック３３が固定され、前記支持ブロック３３の左端面には下方に傾く刮げナイフ３５が固定され、前記固定ブロック３０の上端が前記昇降板２５の下端面に固定されている。
【００２０】
有益的には、前記平行移動機構６２はまた二つの通風パイプ４４を含み、二つの前記通風パイプ４４が上げチャンバ３２と前記押しチャンバ５４とに連通しており、前記通風パイプ４４の片側端壁の中には前記上げチャンバ３２と前記通風パイプ４４とに連通している連通パイプ４８が設置され、前記通風パイプ４４の中には小型の排気扇風機４５が設置され、前記押しチャンバ５４の上下端壁にはいずれも広告が左に運動することを制限する位置制限ブロック５１が固定され、前記上げロッド５３の右端面にはブラシ５２が固定されている。
【００２１】
有益的には、前記摩擦機構６３は摩擦チャンバ２８を含み、前記摩擦チャンバ２８の中には左端が前記昇降板２５と接触している摩擦板２７が設置され、前記摩擦チャンバ２８の右端壁には左端が前記摩擦板２７に連結された伸縮ばね３１が二つ固定され、前記スライドロッド４７の右端には右方に開口した回転チャンバ６５が設置され、前記回転チャンバ６５の前後端壁の間には回転軸６７が回転できるように連結され、前記回転軸６７には右端が前記摩擦板６４と接触している回転輪６６が固定されている。
【００２２】
装置全体の機械作動ステップは：
【００２３】
１：貼る必要がある広告を入れ口６８により押しチャンバ５４の中に入れ、上げ溝５５の中には接着剤があり、排気扇風機４５が作動し、それにより広告が押しチャンバ５４の右端壁に吸着され、このときモーター１７が始動し伝動軸１８を回転連動させ、それにより伝動歯車１９を回転連動させ、それにより従動歯車１４を回転連動させ、それにより広告を貼る必要があるところまで、移動ブロック３７を連動させて掲示板１０の上端で移動させる。
【００２４】
２：電磁石２０が作動し前記伝動歯車１９と引き合い、それにより伝動歯車１９と前記巻き歯車３６との噛合を制御し、それにより伝動歯車１９に巻き歯車３６を回転連動させ、それにより巻き軸３８を回転連動させ、それにより鎖６９を巻き取り、それにより支持板４０を下がらせ、それにより昇降板２５を下がらせ、昇降ばね２３と支持ばね２１とが伸び、それにより固定ブロック３０と支持ブロック３３とを下がらせ、それにより刮げナイフ３５の左端を掲示板１０の右端面と接触させ、それにより掲示板１０の右端面にある古い広告を除去する。
【００２５】
３：除去完了後に、モーター１７が作動し伝動軸１８を逆方向に回転連動させ、伝動により巻き軸３８を反転させ、それにより鎖６９を緩め、それにより支持板４０を支持ばね２１の作用により復帰させ、それにより支持ブロック３３と刮げナイフ３５とを上昇し復帰させ、昇降板２５と摩擦板２７との間の摩擦により、昇降ばね２３が昇降板２５を復帰連動させることができなく、このとき駆動モーター２９が作動し駆動軸５０を回転連動させ、それにより駆動ブロック４９を連動させて左に運動させ、それにより平行移動ブロック５９の左端面と掲示板１０の左端面とが接触するまで、平行移動ブロック５９を左に運動連動させ、平行移動ブロック５９が左に運動するとき、スライドロッド４７を左に運動連動させ、それによりスライドブロック４３をスライド溝４６の中で相対的にスライドさせ、それによりロープ４２を引き、それにより上げロッド５３を上に運動させ、それによりブラシ５２を上に運動させ、それにより接着剤を広告の左端面に塗る。
【００２６】
４：駆動モーター２９が作動し続けて駆動ブロック４９を左に運動させ、それにより駆動ブロック４９に押し板５６を左に運動連動させ、それにより広告を押し出し、広告を掲示板１０の右端面に貼り、同時に排気扇風機４５の作動が停止し、広告を貼り終わった後、駆動モーター２９が作動し駆動軸５０を反転連動させ、それにより駆動ブロック４９を右に運動させ、それにより押し板５６を復帰させた後に平行移動ブロック５９とスライドロッド４７とを復帰連動させ、それによりロープ４２を緩め、それにより上げロッド５３を復帰させる。
【００２７】
５：スライドロッド４７が復帰し、回転輪６６の右端が摩擦板２７と接触した後、駆動モーター２９が作動し続け、それにより回転輪６６が摩擦板２７を押し、それにより摩擦板２７が右に運動し、それにより昇降板２５と摩擦板２７とを分離させ、それにより昇降板２５を昇降ばね２３の作用により復帰させ、それにより除去機構６０を復帰させ、このとき駆動モーター２９が作動し駆動軸５０を正方向に回転させ、それにより駆動ブロック４９が平行移動機構６２を復帰連動させる。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は掲示板広告貼り除去複合機を開示した。
【解決手段】
掲示板を含み、前記掲示板の上側には移動ブロックが設置され、前記移動ブロックの中には前記移動ブロックの前記掲示板の上側でのスライドを制御できる駆動機構が設置され、前記移動ブロックの中にはまた下方に開口した昇降チャンバが設置され、前記昇降チャンバの中には前記掲示板の右端面の古い広告を除去する除去機構が設置され、前記昇降チャンバの中には広告を貼ることができる平行移動機構が設置され、前記平行移動機構は固定ブロックを含み、前記固定ブロックの中には左端壁が前記昇降チャンバに連通している下方に開口した上げチャンバが設置される。
【選択図】図１【図１】
0006746829.tif 000002
【図２】
0006746829.tif 000003
【図３】
0006746829.tif 000004
【図４】
0006746829.tif 000005